(57)【要約】【課題】本発明では金属部材を用いた眼鏡部品において、強度を確保しながら軽量化を図り、さらにデザイン性に富んだ眼鏡部品を提供することを目的とする。【解決手段】金属部材よりなるブリッジ、ヨロイ、テンプルの眼鏡部品において、前記眼鏡部品の断面形状を、眼鏡部品の上下端は肉厚部、眼鏡部品の中央部は肉薄部としたことを特徴とする眼鏡部品であるとする。本発明では眼鏡部品を構成する金属部材として金や白金を用いる。そして素材の豪華さを失わせずに、軽量化を図るために、眼鏡部品の断面形状のうち上下端は肉厚部、中央部は肉薄部とする。部品の上下端は肉厚となっているので見た目に豪華であるとともに強度も保てる。そして、部品の中央部は肉薄となっているために軽量性も得られる。また、部品の中央部が肉薄となっているので細かな装飾を施しやすくなる。【選択図】  図６
2004271662.tif 000002
【特許請求の範囲】
【請求項１】
金属部材よりなるブリッジ、ヨロイ、テンプルの眼鏡部品において、
前記ブリッジ、ヨロイ、テンプルの断面形状を、眼鏡部品の上下端は肉厚部、眼鏡部品の中央部は肉薄部としたことを特徴とする眼鏡部品。
【請求項２】
金属部材よりなるブリッジ、ヨロイ、テンプルの眼鏡部品において、
前記ブリッジ、ヨロイ、テンプルの断面形状を略コの字状とし、眼鏡部品の上下端は肉厚部、眼鏡部品の中央部は肉薄部としたことを特徴とする請求項１記載の眼鏡部品。
【請求項３】
金属部材よりなるブリッジ、ヨロイ、テンプルの眼鏡部品において、
前記ブリッジ、ヨロイ、テンプルの断面形状を略Ｉ字状とし、眼鏡部品の上下端は肉厚部、眼鏡部品の中央部は肉薄部としたことを特徴とする請求項１記載の眼鏡部品。
【請求項４】
請求項１記載の、眼鏡部品の上下端は肉厚部、眼鏡部品の中央部は肉薄部とした断面形状を有する眼鏡部品をプレス加工で成形したことを特徴とする眼鏡部品。
【請求項５】
請求項１記載の、眼鏡部品の上下端は肉厚部、眼鏡部品の中央部は肉薄部とした断面形状を有する眼鏡部品をしぼり加工で成形したことを特徴とする眼鏡部品。
【請求項６】
請求項１記載の、眼鏡部品の上下端は肉厚部、眼鏡部品の中央部は肉薄部とした断面形状を有する眼鏡部品を切削加工で成形したことを特徴とする眼鏡部品。
【請求項７】
請求項１記載の、眼鏡部品の上下端は肉厚部、眼鏡部品の中央部は肉薄部とした断面形状を有する眼鏡部品を鋳造で成形したことを特徴とする眼鏡部品。
【請求項８】
前記眼鏡部品の上下端の肉厚部の断面形状が半円形であることを特徴とする請求項１記載の眼鏡部品。
【請求項９】
前記眼鏡部品の上下端の肉厚部の断面形状が長方形であることを特徴とする請求項１記載の眼鏡部品。
【請求項１０】
前記眼鏡部品の上下端の肉厚部の断面形状が三角形であることを特徴とする請求項１記載の眼鏡部品。
【請求項１１】
前記眼鏡部品の上下端の肉厚部の断面形状が台形であることを特徴とする請求項１記載の眼鏡部品。
【請求項１２】
前記眼鏡部品の上下端の肉厚部の断面形状が楕円形であることを特徴とする請求項１記載の眼鏡部品。
【請求項１３】
前記眼鏡部品の肉薄部に、レーザー加工によりデザイン模様を施したことを特徴とする請求項１記載の眼鏡部品。
【請求項１４】
前記眼鏡部品の肉薄部に、プレス加工によりデザイン模様を施したことを特徴とする請求項１記載の眼鏡部品。
【請求項１５】
請求項１記載の眼鏡部品を用いて構成された眼鏡。
【発明の詳細な説明】
【０００１】
【発明が属する技術分野】
本発明は軽量であるとともに、デザイン性に富んだ眼鏡の金属製構成部品と該構成部品を使用した眼鏡に関する。
【０００２】
【従来の技術】
眼鏡は視力の矯正が主目的である。しかし現在、眼鏡はファッションの小道具としても重要な役目を果たしているため様々なデザインの眼鏡フレームが提供されている。また、眼鏡の使用感は眼鏡の重量に大きく左右されるために、眼鏡フレームは軽量であることが好ましい。このため現在、リムレス眼鏡フレームなどを使用した軽量な眼鏡も提供されている。
【０００３】
従来においても、眼鏡枠に装飾・デザインを施した発明が開示されている。
例えば、『異種金属複合眼鏡枠』（特許文献１）では、軽量でありながらデザイン性に富んだ眼鏡枠を提供するために、貴金属部材および眼鏡枠用金属部材からなる異種金属複合眼鏡枠において、（１）前記貴金属部材に中空の接合部を設け、（２）前記眼鏡枠用金属部材に前記貴金属部材の中空の接合部に嵌合する突起部からなる接合部を設け、（３）前記突起部からなる接合部を前記貴金属部材の中空の接合部に嵌合させ、該嵌合部をプレス接合させた構造を備えたことを特徴とする異種金属複合眼鏡枠が開示されている。
この発明では、眼鏡枠用金属部材に  チタンあるいはチタン合金を用いているために軽量である。また眼鏡枠に豪華さを演出するために用いられる貴金属部材に中空を設けているために軽量でデザイン性に富んだ眼鏡枠が提供できる。
【０００４】
『眼鏡のテンプルに対する装飾部材の取付方法及びその取付構造』（特許文献２）では、眼鏡のテンプルに装飾部を簡単にしかも確実に取り付けることができる取付け方法を提供するために、テンプルを二股部に分岐させ、２股部を装飾部材の周囲溝に嵌め込んだ後、その２股部の端部をレンズのテンプルブラケットにネジ止めすることにより装飾部材を周囲から締め付けて固定することを特徴とする眼鏡のテンプルに対する装飾部材の取付け方法が開示されている。
【０００５】
『樹脂製眼鏡部材の製造方法』（特許文献３）では、複雑で個性的な装飾を有する意匠効果に優れたテンプル等の樹脂製眼鏡部材を能率よく製造するために、複数の樹脂ブロック片を所要に嵌め合わせ且つ互いに嵌め合わされた樹脂ブロック片の接合部相互を張り合わせ一体化することを特徴とする樹脂製眼鏡部材の製造方法が開示されている。
【０００６】
【特許文献１】
特開２００１−３５０１２０号公報
【特許文献２】
特開平０９−０４３５５２号公報
【特許文献３】
特開２０００−１８０７９９号公報
【０００７】
上記の従来の技術で示したように、眼鏡枠を装飾するためには、装飾部材をロー付け、ネジ止め、溶接、埋め込み等の手法を用いて眼鏡枠に取り付けている。しかし、これら従来技術で開示されている装飾方法は、ロー付け作業や溶接作業に手間がかかることや、部材数が多い等の問題点がある。
【０００８】
眼鏡の軽量化と装飾性には相反するところがある。眼鏡の装飾性を重視すると軽量性が損なわれる。一方、眼鏡の装飾性を無くすと軽量性は得られるが、眼鏡のファッション性デザイン性が損なわれてしまう。
【０００９】
【発明が解決しようとする課題】
眼鏡のファッション性やデザイン性を高めるために、最近では眼鏡部品を構成する様々な素材が提供され、その選択肢も広がっている。加工のしやすさやコストが安いなどの理由からプラスチックや合成樹脂を用いた部材がある一方、豪華さを醸し出すために金属製や宝石を埋め込んだ眼鏡部材もある。金属製の素材は丈夫で弾力性があるといったメリットがある反面、重いなどのマイナス面もある。特に金だけを用いた部材は高価すぎるなどの問題点もある。
【００１０】
眼鏡の軽量性を得るためには、部品の点数を減らすか、部品そのものを細身化する必要がある。細身化とは部品そのものを細くするという意味であるが、細くすればそれだけ部品の強度が減少することになる。そのため部品に使用する部材として強度の高いものを使用すればよいのであるが、金（ゴールド）のように人気の高い素材を用いて眼鏡枠を構成したい場合には素材をあまり細くすることはできない。また、テンプル等の眼鏡部品はある程度太枠にしたほうが豪華である。
【００１１】
そこで本発明では金属部材を用いた眼鏡部品において、強度を確保しながら軽量化を図り、さらにデザイン性に富んだ眼鏡部品を提供することを目的とする。
【００１２】
【課題を解決するための手段】
上記の課題を解決するために、請求項１に記載された本発明は、金属部材よりなるブリッジ、ヨロイ、テンプルの眼鏡部品において、前記ブリッジ、ヨロイ、テンプルの断面形状を、眼鏡部品の上下端は肉厚部、眼鏡部品の中央部は肉薄部としたことを特徴とする眼鏡部品であるとする。
請求項２に記載された発明は、金属部材よりなるブリッジ、ヨロイ、テンプルの眼鏡部品において、前記ブリッジ、ヨロイ、テンプルの断面形状を略コの字状とし、眼鏡部品の上下端は肉厚部、眼鏡部品の中央部は肉薄部としたことを特徴とする請求項１記載の眼鏡部品であるとする。
請求項３に記載された発明は、金属部材よりなるブリッジ、ヨロイ、テンプルの眼鏡部品において、前記ブリッジ、ヨロイ、テンプルの断面形状を略Ｉ字状とし、眼鏡部品の上下端は肉厚部、眼鏡部品の中央部は肉薄部としたことを特徴とする請求項１記載の眼鏡部品であるとする。
【００１３】
請求項４に記載された発明は、請求項１記載の、眼鏡部品の上下端は肉厚部、眼鏡部品の中央部は肉薄部とした断面形状を有する眼鏡部品をプレス加工で成形したことを特徴とする眼鏡部品であるとする。
請求項５に記載された発明は、請求項１記載の、眼鏡部品の上下端は肉厚部、眼鏡部品の中央部は肉薄部とした断面形状を有する眼鏡部品をしぼり加工で成形したことを特徴とする眼鏡部品であるとする。
請求項６に記載された発明は、請求項１記載の、眼鏡部品の上下端は肉厚部、眼鏡部品の中央部は肉薄部とした断面形状を有する眼鏡部品を切削加工で成形したことを特徴とする眼鏡部品であるとする。
請求項７に記載された発明は、請求項１記載の、眼鏡部品の上下端は肉厚部、眼鏡部品の中央部は肉薄部とした断面形状を有する眼鏡部品を鋳造で成形したことを特徴とする眼鏡部品であるとする。
【００１４】
請求項８に記載された発明は、前記眼鏡部品の上下端の肉厚部の断面形状が半円形であることを特徴とする請求項１記載の眼鏡部品であるとする。
請求項９に記載された発明は、前記眼鏡部品の上下端の肉厚部の断面形状が長方形であることを特徴とする請求項１記載の眼鏡部品であるとする。
請求項１０に記載された発明は、前記眼鏡部品の上下端の肉厚部の断面形状が三角形であることを特徴とする請求項１記載の眼鏡部品であるとする。
請求項１１に記載された発明は、前記眼鏡部品の上下端の肉厚部の断面形状が台形であることを特徴とする請求項１記載の眼鏡部品であるとする。
請求項１２に記載された発明は、前記眼鏡部品の上下端の肉厚部の断面形状が楕円形であることを特徴とする請求項１記載の眼鏡部品であるとする。
【００１５】
請求項１３に記載された発明は、前記眼鏡部品の肉薄部に、レーザー加工によりデザイン模様を施したことを特徴とする請求項１記載の眼鏡部品であるとする。
請求項１４に記載された発明は、前記眼鏡部品の肉薄部に、プレス加工によりデザイン模様を施したことを特徴とする請求項１記載の眼鏡部品であるとする。請求項１５に記載された発明は、請求項１記載の眼鏡部品を用いて構成された眼鏡であるとする。
【００１６】
本発明では金属部材を用いた眼鏡部品において、強度を確保しながら軽量化を図り、さらにデザイン性に富んだ眼鏡部品を提供するために、眼鏡部品を構成する金属部材として金や白金を用いる。そして素材の豪華さを失わせずに、軽量化を図るために、眼鏡部品の断面形状を略コの字状若しくは略Ｉ字状とすることで、上下端は肉厚部、眼鏡部品の中央部は肉薄部とする。このように部品の上下端は肉厚となっているので見た目に豪華であるとともに強度も保てる。そして、部品の中央部は肉薄となっているために軽量性も得られる。また、部品の中央部が肉薄となっているのでレーザー加工若しくはプレス加工により細かな装飾を施しやすくなる。
【００１７】
【発明の実施の形態】
本発明の実施の形態を図を用いて説明する。図１から図４は、本発明の眼鏡部品のうちテンプルの実施の形態を表す一例である。図１は本発明の眼鏡部品のテンプルの正面図と背面図である。図２は本発明の眼鏡部品のテンプルの左側面図と右側面図である。図３は本発明の眼鏡部品のテンプルの平面図と底面図である。図４は本発明のテンプルの図１の正面図におけるＡ−Ａ拡大断面図である。なお平面図は眼鏡を掛けたときの頭上方向から見た図であり、正面図は眼鏡を掛けた人の顔の真横から見た図である。
【００１８】
図１を見て分かるように該テンプル１には、モダン２が取り付けられた状態である。モダン２は合成樹脂等から構成され、テンプル１に嵌合され、その状態で接着剤などにより固着される。該テンプル１は正面や平面及び底面から見たときには通常の太枠のテンプルに見える。しかし、図４の本発明のテンプルの図１の正面図におけるＡ−Ａ拡大断面図を見ると分かるように、本発明のテンプルの断面形状は、テンプルの断面のうち上下端は肉厚部１０１、テンプルの中央部は肉薄部１０２となっている。このようにテンプルの上下端は肉厚部１０１となっているので見た目に豪華で強度が保てる。そして、テンプルの中央部は肉薄部１０２となっているために軽量性が得られる。
【００１９】
図４では、眼鏡部品の断面形状は略コの字状となっており、眼鏡部品の上下端の肉厚部１０１の断面形状は半円形となっているが、図５の（ａ）から（ｃ）に示すように、眼鏡部品の断面形状を略コの字状とし、眼鏡部品の上下端の肉厚部１０１の断面形状を、長方形や三角形、台形としてもよい。図６は、本発明の眼鏡部品の断面形状を表す他の一例である。図の（ａ）や（ｂ）に示すように眼鏡部品の中央部を両サイドとも凹ませることで略Ｉ字状の断面形状を有する眼鏡部品としても良い。このように肉厚部１０１の断面形状を変化させることによってもデザイン性に富んだ眼鏡部品を提供することができる。
【００２０】
図７は、本発明の眼鏡部品のヨロイ３の実施の形態を表す背面図及びそのＢ−Ｂ拡大断面図である。図７にあるようにヨロイ３についてもテンプルと同様の断面形状を有しており、ヨロイの上下端は肉厚部３０１、ヨロイの中央部は肉薄部３０２となっている。
【００２１】
図８は、本発明の眼鏡部品のブリッジ４の実施の形態を表す背面図及びそのＣ−Ｃ拡大断面図である。図８にあるようにブリッジ４についてもテンプルと同様の断面形状を有しており、ブリッジ４の上下端は肉厚部４０１、ブリッジ４の中央部は肉薄部４０２となっている。
【００２２】
上記、眼鏡部品の上下端は肉厚部、眼鏡部品の中央部は肉薄部とした断面形態を有する金属部材で構成されたブリッジ、ヨロイ、テンプルの眼鏡部品は、プレス加工やしぼり加工、切削加工、鋳造等の加工法を用いて生成することが出来る。
【００２３】
図９は、本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの正面図及び一部の平面図である。図１０は、本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの平面図である。図１１は、本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの側面図である。
【００２４】
本発明の実施の形態を説明するために図面で用いた眼鏡はリムレス眼鏡である。そのためレンズ５の間に取り付けられ左右のレンズをつなぐブリッジ４と、レンズ５のテンプル側に取り付けられレンズとテンプルをつなぐヨロイ３と、ヨロイ３に回動自在に取り付けられたテンプル１と、テンプル１の先端部に取り付けられるモダン２とから構成されている。
【００２５】
ヨロイ３の、一端部にはレンズ５に当接してレンズの回動を防止する当たり部３１０と、レンズ５の表面に当接してレンズを固定するためのネジ孔３２０が設けられている。
一方レンズ５のヨロイ側の端に、ネジを通すためのネジ孔５０１が設けられている。そのためヨロイ３の当たり部３１０でレンズ５を保持し、ヨロイ３のネジ孔３２０とレンズのネジ孔５０１を併せネジを通して、ネジをナットで締めれば、ヨロイ３とレンズ５の取り付けは完成する。
【００２６】
ブリッジ４の両端部にはレンズに当接してレンズの回動を防止する当たり部４１０と、レンズの表面に当接してレンズを固定するためのネジ孔４２０が設けられている。
一方、レンズ５のブリッジ側の端にもネジ孔５０２が設けられている。そのためブリッジ４の当たり部４１０でレンズ５を保持し、ブリッジ４のネジ孔４２０とレンズ５のネジ孔５０２を併せてネジを通して、ネジをナットで締めれば、ブリッジ４とレンズ５の取り付けは完了する。
【００２７】
また、ヨロイ３のテンプル側と、テンプル１のヨロイ側にはそれぞれ丁番が取り付けられる。すなわちヨロイ３の丁番３３０には、上下に所定の間隔をおいて位置する環状のネジ孔が設けられる。そしてテンプル１の丁番１３０には、ヨロイの丁番３３０と嵌合するネジ孔が設けられる。そのため、ヨロイ３とテンプル１の丁番を嵌合させ、ネジで連結することで、開閉機能を有する丁番として働く。テンプルの丁番、ヨロイの丁番をともに「丁番」と表記したが、通常コマになっていて、ネジで連結する形状になっている。
【００２８】
モダン２は直接テンプルエンドが耳に当たると痛いために、テンプルにプラスティック製のモダン２を取り付けて、耳にテンプルエンドが当たる刺激を和らげている。パッド６はブリッジ４に取り付けられる。パッド６は、パッド脚の一端をブリッジ４にロー付けして取り付ける。パッド６を直接レンズ５に取り付ける方法も可能である。
このようにして、本発明の眼鏡部品をレンズに取り付けることができ、眼鏡が構成される。図中ではリムレス眼鏡を用いて本発明の実施の形態を説明したが、もちろんフルリム眼鏡でも同様の眼鏡部品を用いることが出来る。
【００２９】
また本発明では、眼鏡部品の中央部が肉薄となっているのでレーザー加工若しくはプレス加工により細かな装飾を施すことができる。図１２から図１５は、テンプル及びヨロイに施されたデザイン例である。施される模様は凸凹模様として形成してもいいし、打ち抜いて透かし模様としてもよい。もちろん凸凹模様と透かし模様を組み合わせたデザインとしても良い。このようにして本発明では、多様なデザインの金属枠を作成することができる。特に、レーザー加工は微細焦点に絞ることができ、かつ遠隔処理であることから、通常の切削加工で模様を彫るよりも微細な模様を効率よく形成できる。また、模様の変更もコンピュータ制御のパターンを変えるだけで容易に変更できるので、顧客によるオーダーメイドに対応することができる。このように眼鏡部品のデザインに様々なバリエーションを持たせることによって、個々の顧客の好みに合わせた飾りができる。
【００３０】
【発明の効果】
本発明は、金属部材で構成された眼鏡部品の形状に係る発明である。強度を確保しながら軽量化を図り、さらにデザイン性に富んだ眼鏡部品を提供するために、眼鏡部品を構成する金属部材として金や白金を用いる。そして素材の豪華さを失わせずに、軽量化を図るために、眼鏡部品の断面形状のうち上下端は肉厚部、眼鏡部品の中央部は肉薄部とする。このように部品の上下端は肉厚となっているので見た目に豪華で高級感のある眼鏡フレームとすることができるとともに強度も保てる。そして、部品の中央部は肉薄となっているために軽量性も得られる。また、部品の中央部が肉薄となっているのでレーザー加工若しくはプレス加工によりより細かな装飾を施せる。本発明により立体感に富んでおり装飾性に優れており、しかも、カシメ作業やロウ付け作業を行わずに簡単に製作することができる眼鏡部品とその製造方法を提供することができる。また部品点数が少ないために、組立やすく、コスト的にも有利な部品構成である。
【図面の簡単な説明】
【図１】本発明の眼鏡部品のテンプルの正面図と背面図である。
【図２】本発明の眼鏡部品のテンプルの左側面図と右側面図である。
【図３】本発明の眼鏡部品のテンプルの平面図と底面図である。
【図４】本発明のテンプルの図１の正面図におけるＡ−Ａ拡大断面図である。
【図５】眼鏡部品の上下端は肉厚部、眼鏡部品の中央部は肉薄部とした略コの字状の断面形状を有する本発明の眼鏡部品の肉厚部の断面形状の他の例である。
【図６】眼鏡部品の上下端は肉厚部、眼鏡部品の中央部は肉薄部とした断面形状を有する本発明の眼鏡部品のうち略Ｉ字状の断面形状を表す眼鏡部品の他の例である。
【図７】本発明の眼鏡部品のヨロイの実施の形態を表す背面図、及びそのＢ−Ｂ拡大断面図である。
【図８】本発明の眼鏡部品のブリッジの実施の形態を表す背面図、及びそのＣ−Ｃ拡大断面図である。
【図９】本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの正面図及び一部の平面図である。
【図１０】本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの平面図である。
【図１１】本発明の眼鏡部品の上下端は肉厚部、眼鏡部品の中央部は肉薄部とした断面形態を有する金属部材で構成されたブリッジ、ヨロイ、テンプルの眼鏡部品を用いて実際に眼鏡を組み立てたときの側面図である。
【図１２】本発明のテンプル及びヨロイに施されたデザイン例である。
【図１３】本発明のテンプル及びヨロイに施されたデザイン例である。
【図１４】本発明のテンプル及びヨロイに施されたデザイン例である。
【図１５】本発明のテンプル及びヨロイに施されたデザイン例である。
【符号の説明】
１        テンプル
１０１    肉厚部
１０２    肉薄部
１３０    丁番
２        モダン
３        ヨロイ
３０１    肉厚部
３０２    肉薄部
３１０    当たり部
３２０    ネジ孔
３３０    丁番
４        ブリッジ
４０１    肉厚部
４０２    肉薄部
４１０    当たり部
４２０    ネジ孔
５        レンズ
５０１    ネジ孔
５０２    ネジ孔
６        パッド
【図１】
2004271662.tif 000003
【図２】
2004271662.tif 000004
【図３】
2004271662.tif 000005
【図４】
2004271662.tif 000006
【図５】
2004271662.tif 000007
【図６】
2004271662.tif 000008
【図７】
2004271662.tif 000009
【図８】
2004271662.tif 000010
【図９】
2004271662.tif 000011
【図１０】
2004271662.tif 000012
【図１１】
2004271662.tif 000013
【図１２】
2004271662.tif 000014
【図１３】
2004271662.tif 000015
【図１４】
2004271662.tif 000016
【図１５】
2004271662.tif 000017